【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
画像データを検索する画像データ検索装置において、
画像検索用のキーワードを前記画像データの画像に写っている被写体の人数と対応付けて管理するキーワード管理手段と、前記画像データの画像に写っている被写体の人数を検出する人物検出手段と、前記管理されたキーワードから前記検出された被写体の人数に応じたキーワードを取得すると共に、当該取得したキーワードを前記画像データに付加する画像管理手段とを備えることを特徴とする画像データ検索装置。
【請求項２】
画像データを検索する画像データ検索装置において、
画像検索用のキーワードを前記画像データの画像に写っている被写体の人数と対応付けて管理するキーワード管理手段と、前記キーワードを指定する指定手段と、前記管理されたキーワードから前記指定されたキーワードに対応する被写体の人数を取得する人物検出手段と、前記取得した人数分の被写体が写っている画像データを検索する画像管理手段とを備えることを特徴とする請求項１記載の画像データ検索装置。
【請求項３】
前記キーワードは、前記被写体の人数が１人のときは、ポートレートを意味するキーワードであることを特徴とする請求項１又は２記載の画像データ検索装置。
【請求項４】
前記キーワードは、前記被写体の人数が２人のときは、ペアを意味するキーワードであることを特徴とする請求項１又は２記載の画像データ検索装置。
【請求項５】
前記キーワードは、前記被写体の人数が２人を超える所定数以上のときは、集合写真を意味するキーワードであることを特徴とする請求項１又は２記載の画像データ検索装置。
【請求項６】
前記キーワードは、前記被写体の人数が０のときは、風景写真を意味するキーワードであることを特徴とする請求項１又は２記載の画像データ検索装置。
【請求項７】
前記キーワードは、前記被写体の人数が１人以上のときは、人物写真を意味するキーワードであることを特徴とする請求項１又は２記載の画像データ検索装置。
【請求項８】
前記キーワード管理手段は、前記キーワードを前記画像データに写っている被写体の大きさ及び／又は位置に対応付けて管理し、前記人物検出手段は、前記被写体のうち所定のサイズより大きいもの且つ所定の位置にあるもののみを人数として検出することを特徴とする請求項１乃至７のいずれか１項に記載の画像データ検索装置。
【請求項９】
検索対象となる画像データを登録する登録手段を備え、前記キーワード付加手段は、前記登録手段が前記画像データを登録するときに、前記キーワードを前記画像データに付加することを特徴とする請求項１乃至８のいずれか１項に記載の画像データ検索装置。
【請求項１０】
画像データを検索する画像データ検索方法において、
画像検索用のキーワードを前記画像データの画像に写っている被写体の人数と対応付けて管理するキーワード管理ステップと、前記画像データの画像に写っている被写体の人数を検出する人物検出ステップと、前記管理されたキーワードから前記検出された被写体の人数に応じたキーワードを取得すると共に、当該取得したキーワードを前記画像データに付加する画像管理ステップとを備えることを特徴とする画像データ検索方法。
【請求項１１】
画像データを検索する画像データ検索方法において、
画像検索用のキーワードを前記画像データの画像に写っている被写体の人数と対応付けて管理するキーワード管理ステップと、前記キーワードを指定する指定ステップと、前記管理されたキーワードから前記指定されたキーワードに対応する被写体の人数を取得する人物検出ステップと、前記取得した人数分の被写体が写っている画像データを検索する画像管理ステップとを備えることを特徴とする請求項１０記載の画像データ検索方法。
【請求項１２】
前記キーワードは、前記被写体の人数が１人のときは、ポートレートを意味するキーワードであることを特徴とする請求項１０又は１１記載の画像データ検索装置。
【請求項１３】
前記キーワードは、前記被写体の人数が２人のときは、ペアを意味するキーワードであることを特徴とする請求項１０又は１１記載の画像データ検索装置。
【請求項１４】
前記キーワードは、前記被写体の人数が２人を超える所定数以上のときは、集合写真を意味するキーワードであることを特徴とする請求項１０又は１１記載の画像データ検索装置。
【請求項１５】
前記キーワードは、前記被写体の人数が０のときは、風景写真を意味するキーワードであることを特徴とする請求項１０又は１１記載の画像データ検索装置。
【請求項１６】
前記キーワードは、前記被写体の人数が１人以上のときは、人物写真を意味するキーワードであることを特徴とする請求項１０又は１１記載の画像データ検索装置。
【請求項１７】
前記キーワード管理ステップは、前記キーワードを前記画像データに写っている被写体の大きさ及び／又は位置に対応付けて管理し、前記人物検出ステップは、前記被写体のうち所定のサイズより大きいもの且つ所定の位置にあるもののみを人数として検出することを特徴とする請求項１０乃至１６のいずれか１項に記載の画像データ検索方法。
【請求項１８】
検索対象となる画像データを登録する登録ステップを備え、前記キーワード付加ステップは、前記登録ステップが前記画像データを登録するときに、前記キーワードを前記画像データに付加することを特徴とする請求項１０乃至１７のいずれか１項に記載の画像データ検索方法。
【請求項１９】
画像データを検索する画像データ検索プログラムにおいて、
画像検索用のキーワードを前記画像データの画像に写っている被写体の人数と対応付けて管理するキーワード管理モジュールと、前記画像データの画像に写っている被写体の人数を検出する人物検出モジュールと、前記管理されたキーワードから前記検出された被写体の人数に応じたキーワードを取得すると共に、当該取得したキーワードを前記画像データに付加する画像管理モジュールとをコンピュータに実行させることを特徴とする画像データ検索プログラム。
【請求項２０】
画像データを検索する画像データ検索プログラムにおいて、
画像検索用のキーワードを前記画像データの画像に写っている被写体の人数と対応付けて管理するキーワード管理モジュールと、前記キーワードを指定する指定モジュールと、前記管理されたキーワードから前記指定されたキーワードに対応する被写体の人数を取得する人物検出モジュールと、前記取得した人数分の被写体が写っている画像データを検索する画像管理モジュールとを備えることを特徴とする請求項１０記載の画像データ検索プログラム。
【請求項２１】
請求項１９記載のプログラムを格納することを特徴とするコンピュータ読取り可能な記憶媒体。
【請求項２２】
請求項２０記載のプログラムを格納することを特徴とするコンピュータ読取り可能な記憶媒体。
【手続補正２】
【補正対象書類名】明細書
【補正対象項目名】発明の名称
【補正方法】変更
【補正の内容】
【発明の名称】画像データ検索装置及び方法、並びに画像データ検索プログラム及び記憶媒体
【手続補正３】
【補正対象書類名】明細書
【補正対象項目名】０００１
【補正方法】変更
【補正の内容】
【０００１】
本発明は、画像データ検索装置及び方法、並びに画像データ検索プログラム及び記憶媒体に関し、特に、キーワードによって画像データを検索する画像データ検索装置及び方法、並びに画像データ検索プログラム及び記憶媒体に関する。
【手続補正４】
【補正対象書類名】明細書
【補正対象項目名】０００５
【補正方法】変更
【補正の内容】
【０００５】
本発明の目的は、集合写真・ポートレート・風景等のキーワードを画像データに付加するのに手動で行う必要がない画像データ検索装置及び方法、並びに画像データ検索プログラム及び記憶媒体を提供することにある。